(57)【要約】【課題】  従来は、ソフトコンタクトレンズを落としたら、探すか諦めるしかなく、大変だったのをソフトコンタクトレンズを落としてもそれを使えることを目的とする。【解決手段】  大きさは、お風呂の浴槽を洗うスポンジタワシ程度。傷がつかないタワシ。タワシの底を日本人の指（肌）と同じ成分。底を黒色。ソフトコンタクトレンズを落としたら、すぐに、タワシの底をレンズにつける。すると、レンズがタワシの底について、また使える。【選択図】図１
2013205838.tif 000002
【特許請求の範囲】
【請求項１】
大きさは、お風呂の浴槽を洗うスポンジタワシ程度、傷がつかないタワシ、スポンジタワシの底を日本人の指（肌）と同じ成分にする、スポンジタワシの底を黒色にするコンタクトレンズ発見器。
【発明の詳細な説明】
【技術分野】
【０００１】  本発明は、ソフトコンタクトレンズを落としたら、すぐに使えるように出来るソフトコンタクトレンズに関するものである。
【背景技術文献】
【０００２】  完成以前は、目から、ソフトコンタクトレンズを落としたら、ほとんど探すか、または、諦め、新しい、もう１枚のソフトコンタクトレンズを使うしか方法はなかった。
【先行技術文献】
【０００３】
【発明の概要】
【発明が解決しようとする課題】
【０００４】  従来は、ソフトコンタクトレンズを落としたら、探すか諦めるしかなく、大変だったのを本発明は以上の問題点を解決するものである。
【課題を解決するための手段】
【０００５】  大きさは、お風呂の浴槽を洗うスポンジタワシ程度。そして、傷がつかないタワシ。特に、スポンジタワシ。タワシの底を日本人の指（肌）と同じ成分にする。それから、底を黒色にする。どうしてかというと、ソフトコンタクトレンズのほとんどは、透明か淡い色だからです。
【発明の効果】
【０００６】  ソフトコンタクトレンズを落としたら、すぐに、タワシの底をレンズにつける。すると、レンズがタワシの底について、また使える。１枚、損せずにすむ。
【図面の簡単な説明】
【０００７】
【図１】横から見た図面
【図２】下から見た図面
【発明を実施するための手段】
【０００８】  以下、本発明の実施の形態を説明する。
（イ）  大きさは、お風呂の浴槽を洗うスポンジタワシの大きさ。
（ロ）  傷がつかないタワシ。特に、スポンジタワシ。
（ハ）  ほとんどの人が持てる軽いもの。
（ニ）  スポンジタワシの底を日本人の指（肌）と同じ成分。
（ホ）  スポンジタワシの底を黒色にする。
（ヘ）  どうして黒色か、それはソフトコンタクトレンズのほとんどは、透明か淡い色だからです。タワシにレンズがついた時、分かりやすいので。
ソフトコンタクトレンズを落としたら、すぐに、タワシの底をレンズにつける。すると、レンズがタワシの底について、また使える。１枚、損せずにすむ。
【符号の説明】
【０００９】  １、スポンジタワシ。
２、日本人の指（肌）と同じ成分。
【図１】
2013205838.tif 000003
【図２】
2013205838.tif 000004
【手続補正書】
【提出日】平成25年1月5日(2013.1.5)
【手続補正１】
【補正対象書類名】明細書
【補正対象項目名】全文
【補正方法】変更
【補正の内容】
【発明の詳細な説明】
【技術分野】
【０００１】  本発明は、ソフトコンタクトレンズを落としたら、すぐに使えるように出来るソフトコンタクトレンズに関するものである。
【背景技術文献】
【０００２】  完成以前は、目から、ソフトコンタクトレンズを落としたら、ほとんど探すか、または、諦め、新しい、もう１枚のソフトコンタクトレンズを使うしか方法はなかった。
【先行技術文献】
【０００３】
【発明の概要】
【発明が解決しようとする課題】
【０００４】  従来は、ソフトコンタクトレンズを落としたら、探すか諦めるしかなく、大変だったのを本発明は以上の問題点を解決するものである。
【課題を解決するための手段】
【０００５】  大きさは、お風呂の浴槽を洗うスポンジタワシ程度。そして、傷がつかないタワシ。特に、スポンジタワシ。タワシの底を抗菌の油粘土にする。
【発明の効果】
【０００６】  ソフトコンタクトレンズを落としたら、すぐに、タワシの底をレンズにつける。すると、レンズがタワシの底の抗菌の油粘土について、また使える。１枚、損せずにすむ。
【図面の簡単な説明】
【０００７】
【図１】横から見た図面
【図２】下から見た図面
【発明を実施するための手段】
【０００８】  以下、本発明の実施の形態を説明する。
（イ）大きさは、お風呂の浴槽を洗うスポンジタワシの大きさ。
（ロ）傷がつかないタワシ。特に、スポンジタワシ。
（ハ）ほとんどの人が持てる軽いもの。
（ニ）スポンジタワシの底を抗菌の油粘土にする。
ソフトコンタクトレンズを落としたら、すぐに、タワシの底をレンズにつける。すると、レンズがタワシの底の抗菌の油粘土について、また使える。１枚、損せずにすむ。
【符号の説明】
【０００９】  １、スポンジタワシ。
２、抗菌の油粘土。
【手続補正２】
【補正対象書類名】特許請求の範囲
【補正対象項目名】全文
【補正方法】変更
【補正の内容】
【特許請求の範囲】
【請求項１】
大きさは、お風呂の浴槽を洗うスポンジタワシ程度、傷がつかないタワシ、スポンジタワシの底を抗菌の油粘土にする、ソフトコンタクトレンズ吸い取り器。
【手続補正書】
【提出日】平成25年1月15日(2013.1.15)
【手続補正１】
【補正対象書類名】明細書
【補正対象項目名】全文
【補正方法】変更
【補正の内容】
【発明の詳細な説明】
【技術分野】
【０００１】  本発明は、ソフトコンタクトレンズを落としたら、すぐに使えるように出来るソフトコンタクトレンズに関するものである。
【背景技術文献】
【０００２】  完成以前は、目から、ソフトコンタクトレンズを落としたら、ほとんど探すか、または、諦め、新しい、もう１枚のソフトコンタクトレズを使うしか方法はなかった。
【先行技術文献】
【０００３】
【発明の概要】
【発明が解決しようとする課題】
【０００４】  従来は、ソフトコンタクトレンズを落としたら、探すか諦めるしかなく、大変だったのを本発明は以上の問題点を解決するものである。
【課題を解決するための手段】
【０００５】  大きさは、コップ程度。特に、プラスチックのコップ。コップの底を抗菌の油粘土にする。
【発明の効果】
【０００６】  ソフトコンタクトレンズを落としたら、すぐにプラスチックのコップの底をレンズにつける。すると、レンズが抗菌の油粘土について、また使える。１枚、損せずにすむ。
【図面の簡単な説明】
【０００７】
【図１】斜め上から見た図面
【発明を実施するための手段】
【０００８】  以下、本発明の実施の形態を説明する。
（イ）  大ささは、プラスチックのコップの大きさ。
（ロ）  特に、プラスチックのコップ。
（ハ）  ほとんどの人が持てる軽いもの。
（ニ）  プラスチックの底を抗菌の油粘土にする。
ソフトコンタクトレンズを落としたら、すぐに、コップの底をレンズにつける。すると、レンズが抗菌の油粘土について、また使える。１枚、損せずにすむ。
【符号の説明】
【０００９】  １、プラスチックのコップ。
２、抗菌の油粘土。
【手続補正２】
【補正対象書類名】特許請求の範囲
【補正対象項目名】全文
【補正方法】変更
【補正の内容】
【特許請求の範囲】
【請求項１】
大きさは、コップ程度、コップ、特に、プラスチックのコップ、コップの底を抗菌の油粘土にするソフトコンタクトレンズ吸い取り器。
【手続補正３】
【補正対象書類名】図面
【補正対象項目名】全図
【補正方法】変更
【補正の内容】
【図１】
2013205838.tif 000005